(57)【要約】【課題】ファイルに入ってある書類が簡単に落ちるのを防止するための押さえ片を裏面シート部自体を切開して形成することによって必要な材料を節減でき、またファイルに入ってある書類の種類を裏面シートの右側端部に形成された舌片に直接記載できるようにして使用者の便宜性を向上させる。【解決手段】表面シート部１００と裏面シート部２００で区分されるように半分に折り畳んだ状態で下段部全体と上段部の一部、または下段部全体のみを熱融着して貼り、表面シート部１００の右側端部１１０に指挿口１２０が形成され、この表面シート部１００の右側端部１１０より突出するように裏面シート部２００の右側端部に舌片２１０を備えたビニール・ファイルであって、表面シート部１００の右側端部１１０を押さえる押さえ片２２０を前記裏面シート部２００の所定部分を切開して裏面シート部２００と一体に形成した。【選択図】    図１
2005153489.tif 000002
【特許請求の範囲】
【請求項１】
表面シート部１００と裏面シート部２００で区分されるように半分に折り畳んだ状態で下段部全体と上段部の一部、または下段部全体のみを熱融着して貼り、表面シート部１００の右側端部１１０に指挿口１２０が形成され、この表面シート部１００の右側端部１１０より突出するように裏面シート部２００の右側端部に舌片２１０を備えたビニール・ファイルであって、表面シート部１００の右側端部１１０を押さえる押さえ片２２０を前記裏面シート部２００の所定部分を切開して裏面シート部２００と一体に形成してなることを特徴とする書類用ビニール・ファイル。
【請求項２】
裏面シート部２００の舌片２１０の表面または裏面、もしくは両面に筆記具で記入できる記入紙２１１を装着したことを特徴とする請求項１記載の書類用ビニール・ファイル。
【発明の詳細な説明】
【技術分野】
【０００１】
本発明は、書類を保管するための書類用ビニール・ファイルに関するものであり、さらに詳しくはファイルに入れられてある書類が簡単に落ちるのを防止するための押さえ片を別途に裏面シート部を延長して形成する代わりに、既存の裏面紙自体を切開して形成することにより、必要な材料を節減し、コストダウンを図ることができる上、裏面シート部の右側端部に突出している舌片に書類名を直接書ける記入紙を装着し、書類名を記入紙に直接記載できることにより、使用者の便宜性を向上させた書類用ビニール・ファイルに関するものである。
【背景技術】
【０００２】
一般的に書類を表紙と裏紙などの間に挟み一緒に包みにするようにした後、綴じ紐などで包んでいたが、近頃では必要な書類のみを部分的に保管できる透明のビニール・ファイルが良く利用されている。
【０００３】
上記の透明なファイルは所定形態のビニール素材を表面シート部と裏面シート部に区別できるよう半分に畳んだ後、表面シート部と裏面シート部の下段部は融着して貼り、上段と右側は開口されている状態で表面シート部の右側端部に指挿口を形成し表面シート部と裏面シート部の開口部が開けやすくなるように構成されている。
【０００４】
そしてファイルに入れられいる書類が簡単に落ちるのを防止するため、別途の押さえ片を形成して表面シート部の右側高部を押さえ、表面シート部が持ち上げられるのを防止し、またファイルは書類を入れた多数のファイルを重ねた場合、そのファイルの中にどの書類が入っているかそのままでは確認できないため、ファイルから書類を出さないままファイルに入っている書類が簡単に認識できるように書類名が記載されるのであるが、このような従来のファイルには多数の問題点があり、それを詳しく説明すると次のようになる。
【０００５】
図３および図４に従来のファイルを示し、図示されているように表面シート部１０と裏面シート部２０の開口部を開けやすくするように表面シート部１０には指挿口１２が形成され、裏面シート部２０の右側端部には押さえ片２２が形成されてあり、表面シート部１０の右側端部１１を前記押さえ片２２の下に入れ込んで押さえ片２２が表面シート部１０の右側端部１１を押さえ、表面シート部１０が押さえ片２２の下から離脱しない限り表面シート部１０が自然に持ち上げられるのを防止する構造になっている。
【発明の開示】
【発明が解決しようとする課題】
【０００６】
上記従来のファイルでは、押さえ片２２は裏面シート部２０の右側端部を延長して折り畳んだ後、その折り部２１の一部に別途形成されるものであるため、原材料の消耗が多いだけではなく、その折り部２１の部分に従って熱融着する工程が必要となり、作業工程が多く時間も長く掛かるので生産性が下がったりするなど、コストアップになるという問題点がある。
【０００７】
また、従来ではファイルに入ってある書類を出さずにファイルに入ってある書類の種類を分かるようにするために裏面シート部２０の右側端部を延長して内側に畳んだ後、末段を熱融着して収納部を形成し、この収納部に書類名が記載された紙が入れられるようにしたものもあるが、それは熱融着作業を行なう作業工程が追加されるし、書類名が記載された紙を入れたり出したりするわずらわしさがある。
【０００８】
本発明の目的は、このような課題を解決するものであり、ファイルに入ってある書類が簡単に落ちるのを防止するための押さえ片を裏面シート部を延長して形成する代わりに、裏面シート部自体を切開して形成することによって必要な材料を節減でき、またファイルに入ってある書類の種類を裏面シートの右側端部に形成された舌片に直接記載できるようにして使用者の便宜性を向上させた書類用ビニール・ファイルを提供することにある。
【課題を解決するための手段】
【０００９】
本発明の請求項１に記載の書類用ビニール・ファイルは、表面シート部１００と裏面シート部２００で区分されるように半分に折り畳んだ状態で下段部全体と上段部の一部、または下段部全体のみを熱融着して貼り、表面シート部１００の右側端部１１０に指挿口１２０が形成され、この表面シート部１００の右側端部１１０より突出するように裏面シート部２００の右側端部に舌片２１０を備えたビニール・ファイルであって、表面シート部１００の右側端部１１０を押さえる押さえ片２２０を前記裏面シート部２００の所定部分を切開して裏面シート部２００と一体に形成してなることを特徴とする。
【００１０】
請求項２に記載の書類用ビニール・ファイルは、裏面シート部２００の舌片２１０の表面または裏面、もしくは両面に筆記具で記入できる記入紙２１１を装着したことを特徴とする。
【発明の効果】
【００１１】
以上のように、本発明の書類用ビニール・ファイルは、ファイルに入れられた書類が簡単に落ちないように表面シート部の右側端部を押さえる役割を遂行する押さえ片を裏面シート部自体を切開して作るため、材料を追加する必要がなく、コストダウンを図ることができ、その上使用者が書類名を舌片に装着されている記入紙に直接記載できるので使用者の便宜性が向上されるなど非常に有用なものである。
【発明を実施するための最良の形態】
【００１２】
以下、本発明の一実施の形態を、図１〜図２を用いて具体的に説明する。
本発明の一実施の形態における書類用ビニール・ファイルは、表面シート部１００と裏面シート部２００で区分されるように半分に折り畳んだ状態で下段部全体と上段部の一部、または下段部全体のみを熱融着して貼り、表面シート部１００の右側端部１１０に指挿口１２０が形成され、この表面シート部１００の右側端部１１０より突出するように裏面シート部２００の右側端部に舌片２１０を備えたビニール・ファイルを構成するのは従来の通りである。
【００１３】
本発明の一実施の形態における書類用ビニール・ファイルは、裏面シート部２００の所定部分を切開して表面シート部１００の右側端部１１０を押さえる押さえ片２２０を裏面シート部２００と一体に形成した点に特徴がある。
【００１４】
このように構成されている本発明の一実施の形態における書類用ビニール・ファイルは、表面シート部１００と裏面シート部２００の開口部分を簡単に開けるために表面シート部１００に指紙口１２０が形成され、また表面シート部１００と裏面シート部２００の間に入ってある書類が簡単に落ちるのを防止するために裏面シート部２００に押さえ片２２０を形成して前記押さえ片２２０で表面シート部１００の右側端部１１０を押さえ、人為的に押さえ片２２０で挟まれている表面シート部１００の右側端部１１０を抜き取らない限り、表面シート部１００を持ち上げられないようにしたのは従来例と同様である。
【００１５】
しかし、本発明の一実施の形態における書類用ビニール・ファイルの重要な特徴は前記押さえ片２２０を裏面シート部２００を延長して形成せず、裏面シート部２００自体を切開して形成するが一側面が裏面シート部２００に一体に貼ってあるようにすることにあり、裏面シート部２００を延長させずに押さえ片２２０を作ることができるため、それにより材料を節減できるのである。
【００１６】
このようにして形成された押さえ片２２０は従来のように表面シート部１００の右側端部１１０を押さえ片２２０の下に差し込み、押さえ片２２０で表面シート部１００の右側端部１１０を押さえることによって表面シート部１００が上向きに持ち上げられるのを防止し、書類がファイルから簡単に離脱するのを防止できるのである。
【００１７】
そして、本発明の一実施の形態における書類用ビニール・ファイルでは舌片２１０にペンなどの筆記具で文字を記載できる記入紙２１１を装着したため、使用者は筆記具を利用して前記記入紙２１１に直接書類名を記載することにより使用者の便宜性を向上させることができる。なお、前記舌片２１０に装着される記入紙２１１は舌片２１０の表面または裏面、もしくは両面全体に設けられる。
【図面の簡単な説明】
【００１８】
【図１】本発明の一実施の形態におけるビニール・ファイルの斜視図である。
【図２】同ビニール・ファイルの断面図である。
【図３】従来例におけるビニール・ファイルの斜視図である。
【図４】同ビニール・ファイルの断面図である。
【符号の説明】
【００１９】
１００    表面シート部
１１０    右側端部
１２０    指挿口
２００    裏面シート部
２１０    舌片
２１１    記入紙
２２０    押さえ片
【図１】
2005153489.tif 000003
【図２】
2005153489.tif 000004
【図３】
2005153489.tif 000005
【図４】
2005153489.tif 000006